(57)【要約】【課題】最小の投資で最大の効果を得られると共に、高精度で板厚制御を行うことができる冷間タンデム圧延における板厚制御方法を提供する。【解決手段】最終スタンド１５で圧延荷重およびロールベンディング力を測定し、これら測定値に基づいてミルストレッチ式により最終スタンド出側板厚を絶対値で推定し、最終スタンド出側板厚の目標値と前記推定値の偏差に基づいて圧下位置を変更して板厚を制御すると共に、圧下位置を変更する前に任意の一定周期毎に当該スタンド出側の張力を測定しておき、最終スタンド１５の出側板厚偏差が特定の範囲内の定常圧延条件であるときの張力を一定の目標値として当該スタンド出側の張力を制御する。【選択図】図２
2008126305.tif 000002
【特許請求の範囲】
【請求項１】
最終スタンドでワークロールに圧下力とベンディング力を付与し、最終スタンド出側から張力を付与する冷間タンデム圧延における板厚制御方法において、最終スタンドで圧延荷重およびロールベンディング力を測定し、これら測定値に基づいてミルストレッチ式により最終スタンド出側板厚を絶対値で推定し、最終スタンド出側板厚の目標値と前記推定値の偏差に基づいて圧下位置を変更して板厚を制御すると共に、圧下位置を変更する前に任意の一定周期毎に当該スタンド出側の張力を測定しておき、当該最終スタンドの出側板厚偏差が特定の範囲内の定常圧延条件であるときの張力を一定の目標値として当該スタンド出側の張力を制御することを特徴とする冷間タンデム圧延における板厚制御方法。
【請求項２】
最終スタンド出側から張力を付与する手段として、ブライドルロールまたは巻取りリールを用い、前記ブライドルロールまたは前記巻取りリールの周速を調整して前記最終スタンド出側張力を制御することを特徴とする請求項１に記載の冷間タンデム圧延における板厚制御方法。
【請求項３】
最終および最終から２スタンド目でワークロールに圧下力とベンディング力を付与し、最終スタンド出側から張力を付与する冷間タンデム圧延における板厚制御方法において、最終および最終から２スタンド目で圧延荷重およびロールベンディング力を測定し、これら測定値に基づいてミルストレッチ式によりそれぞれのスタンドの出側板厚を絶対値で推定し、それぞれのスタンドの出側板厚の目標値と前記推定値の偏差に基づいて圧下位置を変更して板厚を制御すると共に、圧下位置を変更する前に任意の一定周期毎に最終スタンド入出側張力を測定しておき、当該両スタンド出側板厚偏差が特定の範囲内の定常圧延条件であるときの最終スタンド入出側張力を一定の目標値として当該両張力を制御することを特徴とする冷間タンデム圧延における板厚制御方法。
【請求項４】
最終スタンド出側から張力を付与する手段として、ブライドルロールまたは巻取りリールを用い、最終スタンドのワークロール周速並びに前記ブライドルロールまたは前記巻取りリールの周速を調整して前記最終スタンド入出側張力を制御することを特徴とする請求項３に記載の冷間タンデム圧延における板厚制御方法。
【請求項５】
全スタンドに圧下力とベンディング力を付与し、最終スタンド出側から張力を付与する冷間タンデム圧延における板厚制御方法において、全スタンドで圧延荷重およびロールベンディング力を測定し、これら測定値に基づいてミルストレッチ式によりそれぞれのスタンドの出側板厚を絶対値で推定し、それぞれのスタンドの出側板厚の目標値と前記推定値の偏差に基づいて圧下位置を変更して板厚を制御すると共に、圧下位置を変更する前に任意の一定周期毎に全スタンド出側張力を測定しておき、全スタンド出側板厚偏差が特定の範囲内の定常圧延条件であるときの全スタンド出側張力を一定の目標値として全スタンド出側張力を制御することを特徴とする冷間タンデム圧延における板厚制御方法。
【請求項６】
最終スタンド出側から張力を付与する手段として、ブライドルロールまたは巻取りリールを用い、第一スタンド以外の全スタンドでワークロール周速を調整すると共に、前記ブライドルロールまたは前記巻取りリールの周速を調整して前記スタンド出側張力を制御することを特徴とする請求項５に記載の冷間タンデム圧延における板厚制御方法。
【請求項７】
前記ミルストレッチ式により最終スタンド出側板厚を絶対値で推定する方法は、圧下制御対象スタンドでキスロール締め込みから得られるミルの変形特性からロール系の変形成分とそれ以外の変形成分を分離抽出し、前記キスロール締め込み時のロール系の変形成分を通板時のロール系の変形成分に置き換えて当該負荷時のミルストレッチを計算し、無負荷時のロールギャップと該ミルストレッチから圧下制御対象スタンドの出側板厚を絶対値で推定する方法であることを特徴とする請求項１から６項のいずれか１項に記載の冷間タンデム圧延における板厚制御方法。
【請求項８】
前記ミルストレッチ式により最終スタンド出側板厚を絶対値で推定する板厚制御方法において、圧延荷重およびベンディング力の圧下制御対象スタンドの出側板厚に及ぼす影響係数、基準圧延荷重時のミルストレッチ、並びに、任意のクラウン定義点における圧延荷重およびベンディング力の圧下制御対象スタンドの出側クラウンに及ぼす影響係数を予め算出しておき、板厚目標値および目標クラウンとなるように前記影響係数を用いて圧下制御対象スタンドの出側板厚およびクラウンを制御することを特徴とする請求項１から７項のいずれか１項に記載の冷間タンデム圧延における板厚制御方法。
【請求項９】
定常状態において制御周期毎に圧下制御対象スタンドの出側板厚を推定および測定し、これら板厚の推定値および測定値との間に差がある場合に、次回の計算で板厚の推定値に該差分を加算して板厚を推定することを特徴とする請求項１から８のいずれか１項に記載の冷間タンデム圧延における板厚制御方法。
【請求項１０】
前記ミルストレッチ式によって求められたミルストレッチは、予め基準圧延荷重および基準ベンディング力時のミルストレッチ、並びに、これら基準圧延荷重および基準ベンディング力近傍のミルストレッチに及ぼす圧延荷重およびベンディング力の影響係数をそれぞれ求め、圧延荷重およびベンディング力の前記基準値からの変化量に基づいて求められることを特徴とする請求項１から９項のいずれか１項に記載の冷間タンデム圧延における板厚制御方法。
【発明の詳細な説明】
【技術分野】
【０００１】
本発明は、圧延工程で例えば同一コイル内の変形抵抗差等の荷重変動を引き起こす外乱を有する圧延材を圧延する際の、絶対値ゲージメーターＡＧＣを適用するためのミルストレッチモデルを用いた冷間タンデム圧延における形状制御方法に関するものである。
ここで、ＡＧＣは「オート・ゲージ・コントロール」の略である。
【背景技術】
【０００２】
冷間タンデム圧延ではコイルどうしを接合し、連続的に圧延する方法が一般的である。板厚の高精度化の要求は上昇の一途をたどっており、圧延の安定する定常部だけでなく、接合部等の非定常部の板厚精度向上の要求も大きくなっている。冷間タンデム圧延における制御系はそれを組んだ当時のミルの思想によって様々であるが、第１スタンドでは後段のいずれかのスタンド出側に設置された板厚計出力を元にして圧下制御または圧下制御に加えて張力制御を行い、第２スタンド以降のスタンドではロール周速度を変化させる張力制御を行うことが多い。これは第１スタンド以外では圧下による板厚制御が難しいという経験的な知見とそれを裏付ける解析例（非特許文献１）による。第１スタンドについてはＢＩＳＲＡ ＡＧＣのような相対値ゲージメーターＡＧＣやマスフローＡＧＣが主として用いられており、絶対値ゲージメーターＡＧＣは用いられていないが、最終スタンドもしくは第１スタンドと最終スタンドに絶対値ゲージメーターＡＧＣを用いる方法（特許文献１）等が技術的には開示されている。非定常部の板厚精度向上策としては中間スタンドから最終スタンドにかけての張力や圧下位置を変更することによって板厚を高精度化する方法（特許文献２〜６）や、セットアップ学習を最適化する方法（特許文献７）が開示されている。
【０００３】
これまで、熱延仕上げスタンド等では絶対値ゲージメーターＡＧＣによる板厚制御が行われてきた。絶対値ゲージメーターＡＧＣを適用するにはミルストレッチと呼ばれる圧延機の弾性変形による上下ワークロール間ギャップの増分を正確に把握するための高精度ミルストレッチモデルが必要であり、特許文献８にはモデルの基本構成や基本的な使用方法に関する技術が開示されている。また、特許文献９にはこのモデルを熱延で使用する際に限定して本モデルから圧延荷重とロールベンディング力の影響係数を算出して、影響係数を用いた板厚制御方法に関する技術が開示されている。
【０００４】
また、特許文献１０には板厚およびクラウン量に及ぼす荷重とベンディング力の影響係数を用いた板厚・形状非干渉制御技術が開示されている。ミルストレッチ量をＡＧＣ周期毎に直接算出できれば良いが、絶対値ゲージメーターＡＧＣのような高応答性が要求される制御ではストレッチ量をリアルタイムに計算しＡＧＣに反映させるのは計算時間の観点から難しいため、影響係数を用いた技術が一般的に適用されている。
【特許文献１】特開２００３−１６４９０４号公報
【特許文献２】特開平５−１２３７２５号公報
【特許文献３】特開平５−１２３７２６号公報
【特許文献４】特開平５−１２３７２７号公報
【特許文献５】特開平５−１２３７２８号公報
【特許文献６】特開平６−１２６３１２号公報
【特許文献７】特開平６−１５３１８号公報
【特許文献８】特開昭６０−３０５０８号公報
【特許文献９】特開平６−２８５５２５号公報
【特許文献１０】特開昭５７−１７７８１８号公報
【非特許文献１】「圧延百話」鈴木弘著  養賢堂２０００年３月３０日発行                  （ｐ４９７）
【非特許文献２】「板圧延の理論と実際」日本鉄鋼協会共同研究会圧延理論部会編、                  社団法人日本鉄鋼協会、昭和５９年９月１日発行（ｐ２９５〜                  ３０２）
【発明の開示】
【発明が解決しようとする課題】
【０００５】
近年、自動車用鋼板において高強度化・薄肉化の要求が高まっており、ハイテンや超ハイテンと言われる高強度鋼板の需要が高まっている。これは衝突安全性や地球環境保全の観点から要求されているもので、今後も益々需要が増加することが予想される。ハイテンや超ハイテンの圧延(加熱・巻き取りを含む)については鋼板の強度が高いことや添加元素が多いこと等これまでに無かった条件での圧延が増加したことにより、新たな問題が発生している。その一つとしてハイテンに特有のコイル長手方向の変形抵抗の不均一性の問題がある。これは数ｍ程度毎に数〜十ｍｍ程度の幅の高変形抵抗帯が生じる現象で、圧延機の圧下位置を一定にしている状態で変形抵抗が高い部分が圧延機を通過すると、荷重が高くなってミルストレッチが増加し、その分当該圧延機出側の板厚が増加するという問題が生じている。
【０００６】
特許文献１に開示されているように最終スタンドで製品厚を造り込むという考え方から、最終スタンドで絶対値ゲージメーターＡＧＣによって高精度板厚制御を行うことは有効である。また、第１スタンドと最終スタンドに絶対値ゲージメーターＡＧＣを適用することは、第１スタンドで板厚外乱を消去することによる通板安定性と最終スタンドで製品厚の高精度化ができることから有効な方法である。両者とも最終スタンドの絶対値ゲージメーターＡＧＣ化が必須として開示されているが、最終スタンド入側の板厚変動が大きい場合には、板厚変動に伴う張力変動が誘起されるので最終スタンドでその板厚変動を除去しきれない場合もあり、問題となっている。
【０００７】
特許文献２から６には接合部近傍のような変形抵抗変動がある材料を圧延する際に、中間スタンドでの板厚変動を最終スタンドや最終スタンドから１つ目、２つ目のスタンドを使用して修正する方法が開示されている。この方法は最終スタンド出側の板厚に注目して制御を行っている点に特徴があり、最終製品板厚が最重要であるために視点は評価されるが、前述のように最終スタンド入側の板厚変動量によっては最終スタンドで板厚変動を取り除くことが難しく、改良の余地がある。
【０００８】
特許文献７にはセットアップに学習を取り入れる方法が開示されている。冷間タンデム圧延では走間でセットアップされるため本方法は有効であるが、セットアップでも尚目標との偏差が残ることが多く、高精度制御のためにはセットアップ後の制御を考える必要がある。
【０００９】
非特許文献１に開示されているように第１スタンドの圧下位置の変更は最終スタンド出側板厚に大きな影響を及ぼす。また、近年冷間タンデム圧延機の第１スタンドには高応答な油圧圧下が多く取り入れられており、高精度制御可能な環境が整いつつある。現状、第１スタンドに適用されている圧下制御は従来技術で挙げたようなＡＧＣがあるが、各ＡＧＣには次のような問題がある。
【００１０】
マスフローＡＧＣでは入側板厚計と入出側速度計、もしくはそれに準じる測定器が備わっていればマスフロー一定則から第１スタンド出側板厚を推定することが可能である。しかし、ミルに設置されている板厚計のデータはフィルター等の影響も含まれており、急激な板厚変化が生じている場合にはその急峻な変化を捉えることは難しい。また、板厚が急峻に変化することから張力変動も生じており、例えばパルスジェネレーター等の板速計の場合正確な速度を測定できるかどうかは疑問がある。もし、推定板厚が正確であったとしてもトラッキングが正確でないとミル直下に当該部分が来たときに圧下位置を変化させることが難しくなる。以上のような状況から、マスフローＡＧＣでは制御ゲインをあまり高く設定することが難しいという問題がある。
【００１１】
ＢＩＳＲＡ ＡＧＣは予めミル定数を求めておき、ある圧延条件でロックオンし、その圧延条件からの荷重変化に応じて圧下位置を補償する方法である（例えば、非特許文献２参照）。板厚の絶対値を推定できるわけではないので、ロックオン板厚が目標板厚とずれている場合、目標板厚に制御することはできない。そこで、圧延機出側の板厚計を用いたモニターＡＧＣとの併用が不可欠である。そのためＢＩＳＲＡ ＡＧＣでは制御ゲインをあまり高く設定することが難しいという問題がある。
【００１２】
次にモニターＡＧＣについてはスタンド出側に設置されている板厚計の出力を用いた制御なので、短周期な板厚変動に対しては制御することはできないという問題がある。
【００１３】
いずれも出側板厚の推定値が十分に高精度とは言えない状況から制御ゲインをあげることができずに高精度な板厚制御が難しいという問題を抱えている。
【００１４】
特許文献８〜１０に開示されている絶対値ゲージメーターＡＧＣについては、高精度ミルストレッチモデルについては技術的には開示されているものの、どのスタンドに適用すれば最小の投資で最大の効果が得られるのか検討されてはいなかった。それらを考慮して適切な配置でこれらの発明を利用するところに本発明の意義がある。
【００１５】
上記の従来技術をまとめると次のような課題があることが判った。
・  単に絶対値ゲージメーターＡＧＣを導入すると張力変化の問題がある
・  変形抵抗変動がある場合、１スタンド目で生じた板厚変動を、最終スタンドやその      前のスタンドで取り除くことが難しい。
・  変形抵抗変動がある場合、セットアップ技術を向上させてもセットアップ後の制御      の必要がある。
・  変形抵抗変動がある場合、マスフローＡＧＣ、ＢＩＳＲＡ  ＡＧＣ、モニターＡＧ      Ｃでは精度と応答速度が不充分であるので、変形抵抗変動によって生じる板厚変動      を制御できない。
・  変形抵抗変動がある場合、変形抵抗変動によって生じる板厚変動を制御するために      絶対値ＡＧＣをどのスタンドで使用したらよいのか等の検討がなされていなかっ        た。
【００１６】
本発明はこのような点を考慮して最小の投資で最大の効果を得られると共に、高精度で板厚制御を行うことができる冷間タンデム圧延における板厚制御方法を提供することを課題としている。
【課題を解決するための手段】
【００１７】
本発明は上記したような従来法の問題点を解決するためのものであり、要旨は下記の通りである。
（１）本発明の冷間タンデム圧延における板厚制御方法は、最終スタンドでワークロールに圧下力とベンディング力を付与し、最終スタンド出側から張力を付与する冷間タンデム圧延における板厚制御方法において、最終スタンドで圧延荷重およびロールベンディング力を測定し、これら測定値に基づいてミルストレッチ式により最終スタンド出側板厚を絶対値で推定し、最終スタンド出側板厚の目標値と前記推定値の偏差に基づいて圧下位置を変更して板厚を制御すると共に、圧下位置を変更する前に任意の一定周期毎に当該スタンド出側の張力を測定しておき、当該最終スタンドの出側板厚偏差が特定の範囲内の定常圧延条件であるときの張力を一定の目標値として当該スタンド出側の張力を制御することを特徴としている。
【００１８】
（２）本発明の冷間タンデム圧延における板厚制御方法は、（１）に記載の板厚制御方法において、最終スタンド出側から張力を付与する手段として、ブライドルロールまたは巻取りリールを用い、前記ブライドルロールまたは前記巻取りリールの周速を調整して前記最終スタンド出側張力を制御することを特徴としている。
【００１９】
（３）本発明の冷間タンデム圧延における板厚制御方法は、最終および最終から２スタンド目でワークロールに圧下力とベンディング力を付与し、最終スタンド出側から張力を付与する冷間タンデム圧延における板厚制御方法において、最終および最終から２スタンド目で圧延荷重およびロールベンディング力を測定し、これら測定値に基づいてミルストレッチ式によりそれぞれのスタンドの出側板厚を絶対値で推定し、それぞれのスタンドの出側板厚の目標値と前記推定値の偏差に基づいて圧下位置を変更して板厚を制御すると共に、圧下位置を変更する前に任意の一定周期毎に最終スタンド入出側張力を測定しておき、当該両スタンド出側板厚偏差が特定の範囲内の定常圧延条件であるときの最終スタンド入出側張力を一定の目標値として当該両張力を制御することを特徴としている。
【００２０】
（４）本発明の冷間タンデム圧延における板厚制御方法は、（３）に記載の板厚制御方法において、最終スタンド出側から張力を付与する手段として、ブライドルロールまたは巻取りリールを用い、最終スタンドのワークロール周速並びに前記ブライドルロールまたは前記巻取りリールの周速を調整して前記最終スタンド入出側張力を制御することを特徴としている。
【００２１】
（５）本発明の冷間タンデム圧延における板厚制御方法は、全スタンドに圧下力とベンディング力を付与し、最終スタンド出側から張力を付与する冷間タンデム圧延における板厚制御方法において、全スタンドで圧延荷重およびロールベンディング力を測定し、これら測定値に基づいてミルストレッチ式によりそれぞれのスタンドの出側板厚を絶対値で推定し、それぞれのスタンドの出側板厚の目標値と前記推定値の偏差に基づいて圧下位置を変更して板厚を制御すると共に、圧下位置を変更する前に任意の一定周期毎に全スタンド出側張力を測定しておき、全スタンド出側板厚偏差が特定の範囲内の定常圧延条件であるときの全スタンド出側張力を一定の目標値として全スタンド出側張力を制御することを特徴としている。
【００２２】
（６）本発明の冷間タンデム圧延における板厚制御方法は、（５）に記載の板厚制御方法において、最終スタンド出側から張力を付与する手段として、ブライドルロールまたは巻取りリールを用い、第一スタンド以外の全スタンドでワークロール周速を調整すると共に、前記ブライドルロールまたは前記巻取りリールの周速を調整して前記スタンド出側張力を制御することを特徴としている。
【００２３】
（７）本発明の冷間タンデム圧延における板厚制御方法は、（１）〜（６）のいずれか１項に記載の板厚制御方法において、前記ミルストレッチ式により最終スタンド出側板厚を絶対値で推定する方法は、圧下制御対象スタンドでキスロール締め込みから得られるミルの変形特性からロール系の変形成分とそれ以外の変形成分を分離抽出し、前記キスロール締め込み時のロール系の変形成分を通板時のロール系の変形成分に置き換えて当該負荷時のミルストレッチを計算し、無負荷時のロールギャップと該ミルストレッチから圧下制御対象スタンドの出側板厚を絶対値で推定する方法であることを特徴としている。
【００２４】
（８）本発明の冷間タンデム圧延における板厚制御方法は、（１）〜（７）のいずれか１項に記載の板厚制御方法において、前記ミルストレッチ式により最終スタンド出側板厚を絶対値で推定する板厚制御方法において、圧延荷重およびベンディング力の圧下制御対象スタンドの出側板厚に及ぼす影響係数、基準圧延荷重時のミルストレッチ、並びに、任意のクラウン定義点における圧延荷重およびベンディング力の圧下制御対象スタンドの出側クラウンに及ぼす影響係数を予め算出しておき、板厚目標値および目標クラウンとなるように前記影響係数を用いて圧下制御対象スタンドの出側板厚およびクラウンを制御することを特徴としている。
【００２５】
（９）本発明の冷間タンデム圧延における板厚制御方法は、（１）〜（８）のいずれか１項に記載の板厚制御方法において、定常状態において制御周期毎に圧下制御対象スタンドの出側板厚を推定および測定し、これら板厚の推定値および測定値との間に差がある場合に、次回の計算で板厚の推定値に該差分を加算して板厚を推定することを特徴としている。
【００２６】
（１０）本発明の冷間タンデム圧延における板厚制御方法は、（１）〜（９）のいずれか１項に記載の板厚制御方法において、前記ミルストレッチ式によって求められたミルストレッチは、予め基準圧延荷重および基準ベンディング力時のミルストレッチ、並びに、これら基準圧延荷重および基準ベンディング力近傍のミルストレッチに及ぼす圧延荷重およびベンディング力の影響係数をそれぞれ求め、圧延荷重およびベンディング力の前記基準値からの変化量に基づいて求められることを特徴としている。
【発明の効果】
【００２７】
本発明の（１）または（２）の板厚制御方法によれば、最終スタンドで絶対値ゲージメーターＡＧＣによる圧下制御と張力制御とにより板厚制御を行うので、ハイテンのようなコイル長手方向に変形抵抗差がある材料に対して、圧延条件によらず、定常部だけでなく非定常部においても高精度な板厚制御が可能であり、張力変動に起因した圧延トラブルも回避し高生産性を実現できると共に、歩留向上・コスト削減が可能となる。
【００２８】
本発明の（３）または（４）の板厚制御方法によれば、最終および最終から２スタンドで圧下制御および張力制御を行うので、（１）の板厚制御方法に比べ更に高精度の板厚制御が可能となる。
【００２９】
本発明の（５）または（６）の板厚制御方法によれば、全スタンドで圧下制御および張力制御を行うので、（１）および（２）の板厚制御方法に比べ更に高精度の板厚制御が可能となる。
【００３０】
本発明の（７）の板厚制御方法によれば、ミルストレッチを高精度で求めることができるので、スタンド出側板厚の推定精度を高めることができる。
【００３１】
本発明の（８）の板厚制御方法によれば、高精度の板厚および板形状制御が可能となる。
【００３２】
本発明の（９）の板厚制御方法によれば、ワークロールのサーマルクラウン成長および摩耗に追従して板厚制御が行われるので、板厚精度を高めることができる。
【００３３】
本発明の（１０）の板厚制御方法によれば、ミルストレッチの計算が簡単となり、制御コンピューターの能力に制限されることなく、また板厚精度を落とすことなく板厚制御が可能となる。
【発明を実施するための最良の形態】
【００３４】
現状の冷間タンデム圧延機では第１スタンドで圧下制御、それ以降のスタンドでは張力制御によって板厚を所望の値に制御する方法が一般的である。第２スタンド以降の張力制御の場合、圧下位置を変化させないため上記のように変形抵抗の異なる部分が圧延機に咬込むと荷重が増加して板厚が大きくなる現象が生じる。ハイテンでは高変形抵抗部分が数〜十ｍｍ程度ある場合があるので、圧延荷重が高くなってミルが伸びることが原因であり、張力制御の制御端であるワークロール周速度を変化させるまでの応答遅れによりそのような狭い範囲の制御が不可能なので板厚を高精度に制御することが難しい。冷間圧延の張力制御では必ずロール周速を制御端とするので、出側の板厚を正確に推定できたとしてもこのような高変形抵抗部分の板厚を高精度に制御することは原理上不可能である。一方、ロードセルはほとんど時間遅れなく荷重変化を捉えることができるので、この高変形抵抗部分が圧延機を通過した際の荷重変動も捉えることが可能である。荷重変化を捉えることができれば、上述のミルストレッチモデルから瞬時に板厚を推定することができる。高変形抵抗部分のように狭い幅の部分を制御するには応答性のよい制御端が必要なのは言うまでもなく、圧下位置を油圧によって変化させることが最良の方法と言える。
【００３５】
また、冷延において圧下制御を行う場合、熱延と異なり、例えば圧下を締め込んだことによってスタンド出側張力が低下し、そのために締め込んだスタンドの荷重が増加して板厚が増加し、結果的に圧下を締め込んだ効果が無くなってしまうという現象があると言われている。張力が変化することによって効果が無くなっているので、圧下位置を変化させると同時にスタンド出側張力を制御して、圧下位置変更前の張力を保つことができれば、圧下位置変化の効果がそのまま板厚変化として表れることになり、圧下制御による上記問題は解決される。
【００３６】
ハイテン特有の高変形抵抗部分の問題についてはミルストレッチモデルによる高応答・高精度な板厚推定能力と高応答な制御端が必要であり、油圧圧下による板厚制御が最良であることが判明したので、次にその圧下制御をタンデム圧延機のどのスタンドに配置すべきかを検討した。
【００３７】
５スタンドの冷間タンデム圧延機を想定し、ダイナミックシミュレーションモデルを構築して、各スタンドに張力制御もしくは圧下制御を配置して板厚制御性能を比較した。圧下制御においては、上記張力変化の問題があるので、圧下制御のみの場合と圧下制御と同時に張力一定制御を適用する場合の２種類のシミュレーションを行った。モーターや圧下の応答性等はシミュレーション上に反映しており、圧下は制御の部分は油圧圧下として応答性を増加させた。変形抵抗変動として、実際の変形抵抗変動を参考に周期と振幅を変えた２つのＳＩＮ（正弦波）の複合カーブとしてモデル化した。
【００３８】
表１に圧下制御・張力制御の各スタンドへの配置と計算結果を示す。ここで、圧下制御は高精度ミルストレッチモデルを用いて板厚を推定し、油圧圧下にて制御している。現状の制御を計算Ｎｏ．１で示している。今回のシミュレーションではＳＩＮカーブを連続的に導入した定常部のシミュレーションとなっている。
【表１】
2008126305.tif 000003
【００３９】
板厚が要求される板厚精度を越えていればオフゲージとなってしまうので、板厚が要求板厚精度内に収まっている必要がある。第1スタンドと最終スタンドに圧下制御を適用する（Ｎｏ．２−１）と、今回の計算では最終スタンドに張力制御を適用する場合よりも３０μｍ程度良くなる。スタンド出側に張力一定制御を適用すれば、更に１０μm程度の効果が得られることが新しく知見された（Ｎｏ．２−２）。最終スタンドに加えて最終スタンドの１つ前スタンドに圧下制御を適用した場合（Ｎｏ．３−１）と、第２スタンドに圧下制御を適用した場合（Ｎｏ．４−１）もシミュレーションした。このハイテンの変形抵抗変動がある材料に関しては後段に圧下制御を適用した方が良いことが確認された。これは前段に圧下制御を適用しても変形抵抗変動がある場合には、後段の張力制御スタンドで板厚偏差を再び造り込んでしまうために、効果が小さいと思われる。後段２スタンドを圧下制御にすれば、最終スタンドだけではとりきれない板厚変動を取り除くことができることが分かった。また、その際に出側張力制御を適用すべきこともシミュレーションで確認された。現状、電動圧下のミルに対して油圧圧下を適用する箇所を選定する上で、ハイテンを主力商品とすることを前提とすれば、後段に投資をすべきであると言える。ここで、スタンド間であれば張力制御は前後スタンドのワークロール周速度変化によって可能であり、最終スタンド出側についてはブライドルロールまたは巻取りリールが張力制御端となる。
【００４０】
更に最終スタンドに加えて前段側から中間スタンドにも圧下制御を適用した場合（Ｎｏ．５−１）についてもシミュレーションしたが、前段からであると1スタンド圧下制御を増加させる毎に数μｍ程度板厚精度が向上することが確認された。全スタンドに圧下制御を適用する（Ｎｏ．６−１）と板厚の振幅は４０μｍ以下となり、圧倒的な効果が期待できる。張力制御が１スタンドでも含まれていると、（１）張力制御では圧下位置は変化させないのが原則なので、前段で平坦な板を造り込めても、変形抵抗変動があった場合にはそのスタンドで板厚変動を造り込んでしまう、（２）応答性の問題から板厚変動を除去することは難しいという２点の問題から板厚変動を誘発することになる。いずれかのスタンドに張力制御を適用した時の変動は最終スタンドの圧下制御だけでは除去しきれないため、このような板厚変動が残っていると思われる。一方、圧下制御では変形抵抗変動は荷重変動としてロードセルによって検出されるので、油圧圧下によって即座に補償すれば、板厚変動を変化させることができる。Ｎｏ．３〜６において張力一定制御を加えると、Ｎｏ．２−２と同様に各条件ともさらに板厚変動を小さくすることができる。油圧圧下ではなく、電動圧下の場合も想定してシミュレーションしても、傾向は同じであった。変形抵抗変動がある場合、全スタンドで圧下制御を適用すべきことが確認された。また、板厚変動が減少することにより張力変動も減少することも確認された。
【００４１】
板厚制御方法を張力制御から圧下制御に変更すると、荷重変動が大きくなるので形状変動が大きくなる。形状変動を抑えるために荷重変動分をワークロールベンダーにて補償し、メカニカル板クラウン一定にする制御方法（板厚・形状非干渉制御）を適用する場合をシミュレーションした。その結果、表２に示すように、非干渉制御を適用するとメカニカル板クラウン変動は半減し、効果があることが確認された。形状が安定化されたための板厚変動への効果は数μｍあった。
【表２】
2008126305.tif 000004
【００４２】
変形抵抗変動に対して圧下制御が板厚精度に有効であることが確認されたので、圧下制御方法としていずれの制御法が最適かを検討する。圧下制御を行うには板厚を推定するか測定して目標板厚との差を算出して圧下位置を変更する。圧下制御を正確に行うには如何に高応答速度・高精度に板厚を推定もしくは測定するかにかかっている。上記の板厚を推定もしくは測定する方法としては以下の方法が考えられる。
１）入側板厚、入側板速度および出側板速度を用いるマスフローによる推定法。
２）ミル伸びをミル定数で考慮する相対値ゲージメーター板厚推定法。
３）ミル伸びの非線形性を考慮した絶対値ゲージメーター板厚推定法。
４）板厚計による測定法。
【００４３】
マスフロー推定値は入側板厚Ｈ、入側板速度Ｖin、出側板速度Ｖout、出側板厚ｈとするとｈ＝Ｈ×Ｖin／Ｖoutで表される。板厚計ではノイズ等の影響を防止するために一般にローパスフィルターを使用する。そのため急峻な板厚変動を捉えることは難しくなる。また板速度計については冷間タンデム圧延機で使用する方式としては接触ローラー式とレーザードップラー式の２種類が考えられる。接触ローラー式の場合、パルスをカウントしていくことになるので１パルスのカウントが入るか入らないかで誤差が決定される。制御周期（測定周期）やローラー径、１カウントの角度等に依存するが、例えば制御周期５０ｍｓ、ローラ径２４０ｍｍ、１２００パルス／回転の場合、誤差は約１．５％となる。また、張力が緩んだ場合にはその誤差は更に大きくなる。レーザードップラー式の誤差を求めるために実機で使用されている板速度計と同型・同設定の板速度計を用いてラボで実験した。等間隔に印を付けた板を種々の速度で通板し、ビデオカメラで定点観測して正確な板速度を算出した。その結果とレーザードップラー板速度計の出力とを比較した結果平均で１．１％の誤差があることが判明した。これらのことを考慮すると板厚変動が生じている箇所では張力が緩む可能性も高く、正確な板厚推定が難しいことが分かる。
【００４４】
次にＢＩＳＲＡ ＡＧＣに使用されている相対値ゲージメーター推定値について検討する。ＢＩＳＲＡ ＡＧＣでは予めミル定数を制御系に与えておいて、ロードセルにより検出される荷重変化を元に補償する。ロードセルの検出誤差を検証した。荷重検出精度に誤差はほとんどなく、応答遅れも制御周期を５０ｍｓとした場合に問題があるレベルでないことが確認できた。ところで、出側板厚ｈ、ロックオン荷重Ｐ０、ロックオン荷重時の板厚ｈＬ(Ｐ０)と外乱等によって変化した荷重Ｐ時のミルストレッチ差ΔＭＳ（Ｐ−Ｐ０）、出側板厚計出力と目標板厚の誤差ΔｈとするとＢＩＳＲＡ ＡＧＣでは式（１）を用いて制御している。
ｈ＝ｈＬ（Ｐ０）＋ΔＭＳ（Ｐ−Ｐ０）＋Δｈ      …（１）
また、ミルストレッチは荷重Ｐ、ミル定数Ｍを用いて式（２）で表される。
ＭＳ（Ｐ）＝（Ｐ−Ｐ０）／Ｍ      …（２）
【００４５】
ＢＩＳＲＡ ＡＧＣではロックオン時の板厚ｈＬ（Ｐ０）が目標板厚とは限らないため目標板厚にするにはΔｈが必須である。目標板厚とロックオン荷重時の板厚の差は圧延機出側の板厚計出力に頼らざるを得ない。また、ＢＩＳＲＡ ＡＧＣではミル定数を１つしか使用しない。つまりミル変形を線形と仮定していることと同義である。実際のミル変形は非線形であり、荷重域、板幅、ロール径等によっても変化するため、本来コイル毎に使用されるべきミル定数を計算しなければ正確なミルストレッチを計算することはできない。さらにＢＩＳＲＡ ＡＧＣでは板厚を絶対値で推定できないことを絶対値ゲージメーターＡＧＣとの比較で記述する。板厚を絶対値で推定するには式（３）による計算が必要であり、その際に必要なのは正確なミルストレッチを求めることである。ここでｈは推定板厚、Ｓは無負荷時のギャップ、ＭＳ（Ｐ）は荷重Ｐの時のミルストレッチである。
ｈ＝Ｓ＋ＭＳ（Ｐ）    …（３）
【００４６】
図１に曲線の両ＡＧＣによるミルストレッチの取り扱い方を示す。太い曲線はミルストレッチである。特に低荷重時はロールを始めとする各接触部の当たり面（面積）が変化するために強い非線形性を有する。高荷重域でも完全な直線ではないので、ミル変形を表すミル定数を一定とするには問題があることが分かる。絶対値ゲージメーターＡＧＣではこのミルストレッチを正確に推定することができなければならない。例えば圧延荷重Ｐの時のミルストレッチを算出してＭＳ（Ｐ）とし、外乱等によって圧延荷重が変化したときにはミルストレッチを新たに計算すれば良い。ミルストレッチ計算にはロール径・胴長・ロール形状・支点間距離・ベンダー形状・板幅等による影響を考慮する必要があるので、制御周期毎にミルストレッチを計算することは今の計算機能力を持ってしても難しい。そこで、基準のミルストレッチを求めておき、板厚に及ぼす影響係数を用いて外乱によって荷重変化が生じたときのミルストレッチ変化を算出する方法がある。影響係数とはすなわち図１の接線の傾きであり、基準の圧延荷重を実圧延荷重の近くで計算するほど正確なミルストレッチを計算することができる。ミルストレッチを正確に計算できれば、無負荷時のギャップも分かっていることから板厚を絶対値で推定することが可能となる。また、ベンディング力についてもその負荷は板厚に影響を及ぼすので影響係数として用いる必要がある。本発明で採用しているミルストレッチ計算法によれば非線形性を考慮して正確に求めることができる。
【００４７】
ＢＩＳＲＡ ＡＧＣでは荷重変化による板厚変化をミル定数で補償するのみで、ミルストレッチがＭＳ（Ｐ）であることも計算しない。板厚は式（３）のように表されるので正確なミルストレッチが分からなければ正確な板厚を推定することも不可能である。ＢＩＳＲＡ ＡＧＣは正しいかどうか分かっていないある点を基準にして、時間平均がその基準点になるように相対的な板厚変化のみをさせる制御であるので、前述の絶対値ゲージメーターＡＧＣに対して、相対値ゲージメーターＡＧＣに相当することが分かる。変形抵抗変動を補償する場合、変形抵抗変動は定常部でも生じているので、定常部であれば基準点を合わせて板厚を制御することができるが、変形抵抗の変動量が大きくなって、板厚変動が大きくなればなるほどミルストレッチの非線形性に起因した誤差が大きくなり正確な板厚推定ができなくなる。非定常部では基準点自身が不正確な可能性が高いので、正確な板厚推定は望むべくもない。
【００４８】
次にモニターＡＧＣについて述べる。モニターＡＧＣでは出側板厚計の検出値を用いて、目標板厚と検出板厚の差から圧下位置を変更する。板厚計は一般に圧延機から数ｍ後方にあるので、定常部のように安定した圧延状態であれば良いが、板厚変動を有する接合部近傍の板厚を高精度に推定することは元々不可能である。
【００４９】
以上のように変形抵抗変動による板厚変動は変化が激しいので、絶対値ゲージメーター式による板厚推定が最良である。
【００５０】
絶対値ゲージメーターＡＧＣを適用するためには前述したように高精度ミルストレッチモデルが必要である。ミルストレッチは理論的にはロール撓み、偏平やハウジング・圧下スクリュー・ムッタ・ライナーなどすべての要素の変形の加算で計算することができるが、実際には球面座などの受圧面の変形は計算することは難しい。そのため、特許文献７には理論的に計算可能なロールの変形とその他の変形を分離する方法が採られている。現状でもその状況に変化はなく、ロール系とその他の変形を分離して計算する方法が最良の方法と考えられる。そこで本発明でも当該方法を採用することとする。
【００５１】
式（３）のミルストレッチを制御周期毎に計算していければ良いが、実際の操業ではミルストレッチを制御周期毎（例えば５０ｍｓ程度毎）にロール系やハウジング圧下系の変形を計算して制御に反映するのは現在のコンピューターの能力をもってしても難しい。そこで予め基準荷重および基準ベンディング力時のミルストレッチと当該基準近傍のミルストレッチに及ぼす荷重やベンディング力の影響係数を算出しておいて、基準からの圧延荷重およびベンディング力の変化によって式（４）のようにミルストレッチを計算して行く方法が採られる。ここで基準荷重および基準ベンディング力は圧下スケジュールを決める
設定計算で計算される荷重とベンディング力である．また基準近傍とはミルストレッチ曲線で接線の傾きを求めておけば線形補完が可能となることを念頭においており，明確な定義はないが，線形補完による補償が可能な範囲をさす．ベンディング力に関しても同様である
ｈ＝Ｓ＋ＭＳ（Ｐm０、Ｆm０）＋ＫＰ×（Ｐ−Ｐm０）＋ＫＦ×（Ｆ−Ｆm０）
…（４）
ここで、ｈは板厚、Ｓは無負荷時のギャップ、ＭＳ（Ｐm０、Ｆm０）は荷重Ｐm０、ベンディング力Ｆm０時のミルストレッチ、ＫＰ、ＫＦはミルストレッチに及ぼす圧延荷重とベンディング力の影響係数である。
【００５２】
次にクラウン量に及ぼす圧延荷重とベンディング力の影響に関して述べる。圧下制御を行うと圧延荷重変動が生じてクラウンの乱れを誘発する場合がある。クラウンを補償するためのハードとしてはワークロールベンダーがあるので、それを用いた制御を行うことが可能である。クラウン量は板厚と同様に任意の圧延荷重時のクラウン量と圧延荷重やベンディング力が変化した際の影響を考慮すれば推定することができる。但し、ベンディング力を負荷すると圧延材に加わる幅方向荷重分布も変化して板厚が変化する。板厚もしくはクラウン量だけが重要であるときにはこれらを単独で制御すれば良い。同時に所望の板厚およびクラウン量が必要であるときには板厚・クラウン非干渉制御が必要となり、式（５）、式（６）の連立方程式から圧延荷重とベンディング力の変化量ΔＰ、ΔＦを算出することができる。
Δｈ＝ＫＰ×ΔＰ＋ＫＦ×ΔＦ    …（５）
ΔＣ＝ＣＰ×ΔＰ＋ＣＦ×ΔＦ    …（６）
ここでΔｈは板厚変化量、ΔＣは任意のクラウン定義点のクラウン変化量、ＣＰ、ＣＦは当該クラウン定義点のクラウンに及ぼす圧延荷重とベンディング力の影響係数である。
【００５３】
圧下による板厚制御を行うと圧延荷重変動が大きくなり、形状の乱れが誘発される。そのためにベンダーによる補償を行う方法をとる。しかし、ベンダーだけでは制御端が１つなので例えばλ2（板幅中央と板端の張力差）、λ4（板幅中央とクォーター部(半幅を１とした時の中央から１／√２点)の張力差）両方の形状を制御することは不可能である。そこで潤滑油を用いたゾーンクーラントによる制御を付加する。ゾーンクーラントでは油圧圧下ほどの応答性は望めないが、潤滑油供給量を変化させることにより当該部分の摩擦係数を変化させることができ、圧延荷重分布を変化させて形状を変化させることが可能である。潤滑油供給量変化による形状変化の応答性を調査したところ、条件によっては油圧圧下の１／１０程度の能力を有することが確認された。変形抵抗変動にすべて対応することは難しいが、形状変動の極大値の減少を狙って潤滑油供給量を変化させることにより形状変動量を減少させることは可能であることは実験によって確認された。変形抵抗変動は周期的に発生することも多々あるので、その場合にはこの方法によって形状変動を抑制する方法をとることができる。
【００５４】
また、潤滑油供給量を変化させるとサーマルクラウン量を変化させることができる。サーマルクラウンが成長しつつある段階では板形状計の出力に基づいて形状を最適化させることが可能となる。サーマルクラウンが飽和した段階では制御を必要はなく、上記したようにベンダーとの相乗効果による形状制御のみを行えばよい。
【００５５】
ミルストレッチモデルでは前述のようにロール系の変形を計算するが、圧延中にはロール温度が上昇してサーマルクラウンが成長するし、板厚の絶対量が変化してしまう。また、圧延本数が増加するにつれてロール摩耗も増加する。これらによってロールプロフィールが変化するが、その経時変化は推定することが難しい。これらの変化は急には起こらないので、出側板厚計を用いたモニターＡＧＣ機能を利用して、定常部において平均の板厚を測定し、推定板厚との差を求めて推定式内にその差を取り込むことにより上記の影響を取り込むことができる。
【００５６】
本発明はミル型式およびミル構成に影響されないのは言うまでもない。また、圧延材は鋼板に限られるものではなく、例えばチタン、アルミニウム、銅またはこれら金属の合金であってもよい。
【実施例】
【００５７】
図２は、本発明の効果を確認するために圧延実験を行った冷間タンデム圧延機の構成図である。冷間タンデム圧延機１０は、６Ｈｉスタンドの４スタンド１１〜１５からなっている。各スタンド１１〜１５はワークロール１６〜２０、中間ロール２１〜２５およびバックアップロール２６〜３０で構成され、油圧圧下装置３１〜３５およびロードセル３６〜４０を備えている。各ワークロール１６〜２０はＡＣモーター４１〜４５で駆動され、またワークロールベンダー４６〜５０が設けられている。各スタンド１１〜１５には潤滑油供給装置５１〜５５が配置されており、第１スタンド１１の入出側にＸ線板厚計６１、６２が、またと最終スタンド１５の出側にＸ線板厚計６３がそれぞれ設置されている。第１スタンド１１の入出側にはテンションメーター７１、７２が、第２スタンド１２〜第５ステンド１５の出側にはテンションメーター７３〜７６がそれぞれ設けられている。最終スタンド１５の出側に、板形状計７８が配置されている。また、最終スタンド１５の出側にブライドルロール８２および巻取りリール８４が配置されている。巻取りリール８４はＡＣモータ８６で駆動される。
【００５８】
冷間タンデム圧延機１０は、板厚・形状制御装置８０を備えている。板厚・形状制御装置８０は、モニター板厚制御、張力板厚制御、絶対ゲージメーターＡＧＣ、ワークロールベンダーによる形状制御、潤滑油による形状制御などのプログラム、ミルストレッチモデルなどを格納している。ロードセル３６〜４０から圧延荷重、Ｘ線板厚計６１〜６３から板厚、テンションメーター７１〜７６から張力、板形状計７８から板形状などの計測値が、板厚・形状制御装置８０に入力される。板厚・形状制御装置８０は、これらの計測値に基づいて油圧圧下装置３１〜３５、ＡＣモーター４１〜４５、８６、ワークロールベンダー４６〜５０、潤滑油流量調節弁５６〜６０などに操作信号を出力し、板厚および形状が目標値となるように圧下位置、板速度、ベンディング力、張力、潤滑油供給量などを調整する。
【００５９】
上記冷間タンデム圧延機で、次の４とおりの制御を行った。
Ａ  従来通りの第１スタンドに圧下制御および第１スタンド出側板厚計からのモニター      制御、第２スタンド以降に最終スタンド出側板厚計からのモニターフィードバック      による張力制御を配置した制御
Ｂ  全スタンドに本発明のミルストレッチモデルに基づく絶対値ゲージメーターＡＧＣ      を配置した制御（形状制御なし）  ただし、スタンド間は張力一定制御
Ｃ  制御Ｂと同様で形状制御ありの制御
Ｄ  制御Ｃと同様で潤滑油による形状制御ありの制御
Ｅ  最終スタンドに本発明のミルストレッチモデルに基づく絶対値ゲージメーターＡＧ      Ｃを配置した制御（形状制御なし）  ただし、第２スタンド以降の中間スタンドを      張力ＡＧＣを配置した制御
Ｆ  制御Ｅと同様で形状制御ありの制御
Ｇ  制御Ｆと同様で潤滑油による形状制御ありの制御
【００６０】
圧延材は８００ＭＰａ級の鋼板で予め１ｍピッチで３０ｍｍ幅の変形抵抗変動（約１０００ＭＰａ）を導入しておいた。急峻な板厚変動はＸ線板厚計では測定が難しいので、変形抵抗変動は急峻とは言えないものの、定常部より変化が激しいことも確かなので、念のために接触式の板厚計で測定し、効果を見極めた。形状制御のクラウン定義点は板端から３０ｍｍのところとした。
【００６１】
圧延材は板幅１２１０ｍｍ、入側板厚は４．８ｍｍで、以降第１スタンド出側以降のスケジュールは３．４２６ｍｍ、２．３１９ｍｍ、１．７０８ｍｍ、１．６０３ｍｍとした。圧延機は４スタンドとも同じで、ロール径はバックアップロール径１２９１〜１３４０ｍｍ、中間ロール径４９１〜５１９ｍｍ、ワークロール径４２５〜４３０ｍｍのものを使用した。ワークロールの径差については上下差はほとんど無く、０．３ｍｍ以内である。形状制御を行わない場合のベンディング力は一定で１００ｋＮ／ｃｈｏｃｋとした。圧延速度は最終スタンド出側で５００ｍ／ｍｉｎとした。
【００６２】
それぞれの制御でａ）板厚変動の最大振幅、ｂ）λ2の最大振幅、ｃ）λ4の最大振幅を比較した。その結果、表３に示すように板厚・形状非干渉制御を行うと板厚精度および形状精度が向上し、更に潤滑油制御を行うことで幅方向の均一性も向上することが確認された。
【表３】
2008126305.tif 000005
【図面の簡単な説明】
【００６３】
【図１】ＢＩＳＲＡ ＡＧＣと絶対値ゲージメーターＡＧＣにおけるミルストレッチの取り扱い方を示す概念図である。
【図２】実施例で用いた冷間タンデム圧延機の構成図である。
【符号の説明】
【００６４】
１０  冷間タンデム圧延機              １１〜１５  圧延スタンド
１６〜２０  ワークロール              ２１〜２５  中間ロール
２６〜３０  バックアップロール        ３１〜３５  油圧圧下装置
３６〜４０  ロードセル                ４１〜４５、８６  ＡＣモーター
４６〜５０  ワークロールベンダー      ５１〜５５  潤滑油供給装置
５６〜６０  流量調節弁                ６１〜６３  Ｘ線板厚計
７１〜７６  テンションメーター        ７８  板形状計
８０  板厚・形状制御装置              ８２  ブライドルロール
８４  巻取りリール
【図１】
2008126305.tif 000006
【図２】
2008126305.tif 000007